(57)【特許請求の範囲】
【請求項１】
地面から立設している配管の防蟻方法であって、
前記配管が、配管の周囲が断熱材で被覆された内外二層構造の保温配管であり、
地表近傍の地中域において前記保温配管の断熱材を上下５〜５０ｍｍ切除し、当該切除部分に粒子状または発泡体状の防蟻材を充填している防蟻方法。
【発明の詳細な説明】
【技術分野】
【０００１】
本発明は、地面から立設している配管の防蟻方法に関する。
【背景技術】
【０００２】
【０００３】
配管が基礎を貫通して配されている場合の防蟻方法としては、例えば特許文献１がある。具体的には、基礎に穿設された配管孔とこれに貫通する配管との隙間に、粘弾性を有する防蟻材を充填している。なお、ここでの防蟻材とは、その形状を問わず物理的又は化学的若しくはその双方によって、シロアリの侵入防止や駆除などを可能とするものの総称であり、防蟻剤も含む概念である。
【先行技術文献】
【特許文献】
【０００４】
【特許文献１】特開２００４−２３２４５４号公報
【発明の概要】
【発明が解決しようとする課題】
【０００５】
【０００６】
従来においては特許文献１のように基礎の主要部分に対しては種々の防蟻方法が提案されているが、例えば地面から立設している配管など、細かな部分に対する防蟻方法はなかった。さらに、従来は建築物の床下部分に着目したものばかりであり、床下以外の箇所に対する防蟻方法は提案されていなかった。
【０００７】
そこで、本願発明の目的は、いままであまり着目されることのなかった箇所に対する新規な防蟻方法を提供することにある。  
【課題を解決するための手段】
【０００８】
上記課題を解決するために、本願発明は以下の手段をとる。
（１）地面から立設している配管の防蟻方法であって、前記配管が、配管の周囲が断熱材で被覆された内外二層構造の保温配管であり、地表近傍の地中域において前記保温配管の断熱材を上下５〜５０ｍｍ切除し、当該切除部分に粒子状または発泡体状の防蟻材を充填している防蟻方法。  
【発明の効果】
【０００９】
【００１０】
【００１１】
【００１２】
配管の土間底面近傍域に防蟻処理を施していることによって、配管を伝ってくるシロアリの侵入を防ぐことができる。このとき、内外二層構造の保温配管の断熱材を上下所定寸法切除して当該切除部分に粒子状または発泡体状の防蟻材を充填していれば、例えばシロアリの食害を受け得る素材の断熱材を使用してもそれ以上の食害を防ぎ、以ってシロアリの侵入を阻止できる。  
【００１３】
【００１４】
【図面の簡単な説明】
【００１５】
【図１】配管の防蟻方法を示す要部拡大図である。
【図２】配管の立ち上がり部の防蟻方法を示す断面図である。
【発明を実施するための形態】
【００１６】
以下に、本発明に係る防蟻方法の実施の形態を図面を参照しながら説明する。  
【００１７】
【００１８】
【００１９】
防蟻材（防蟻粒子）１０としては、物理的又は化学的若しくはその双方での防蟻効果を有する粒子を使用することができる。物理的な防蟻効果を有する粒子としては、そのもの自体には殺虫効果はないが、シロアリが口器で運べず、且つ粒子間の隙間をシロアリが通り抜けられない大きさの粒子材を使用する。これに防蟻成分を添加などすれば、物理的防蟻効果と化学的防蟻効果との双方を有する防蟻粒子にできる。また、化学的な防蟻効果を有す粒子としては、防蟻成分を含有しシロアリの忌避又は殺虫効果を有する粒子材であれば特に限定されることはない。この意味において、化学的防蟻粒子は防蟻剤と称すこともできる。例えば有機リン剤、カーバメイト剤、ピレスロイド系剤、ホウ素化合物、フッ素化合物など周知の防蟻・防虫成分を、粒子状に形成したもの、セラミックスや合成樹脂製の担体に担持させたもの、及びマイクロカプセル化したものなどを使用できる。中でも、セラミックス担体にホウ酸カルシウムやホウ酸亜鉛などの水難溶性ホウ素化合物を付着させたり、セラミックス担体にメタアクリル酸系樹脂やウレタン系樹脂と複合化されたホウ酸ナトリウムなどの水溶性ホウ素化合物を担持させたりした、粒子状の防蟻剤が好適である。これによれば、防蟻成分であるホウ酸の溶出を抑制して長期間防蟻性を維持でき、定期メンテナンスの間隔を長くできる。
【００２０】
【００２１】
物理的防蟻粒子１０であれば、昇ってきたシロアリは防蟻粒子１０を通り抜けることができないのでシロアリの被害を防止でき、また、化学的防蟻粒子１０であれば防蟻粒子１０をかじることでシロアリを殺虫でき、シロアリの被害を回避できる。  
【００２２】
【００２３】
【００２４】
【００２５】
【００２６】
【００２７】
【００２８】
防蟻粒子１０の粒径は特に限定されることはないが、物理的防蟻粒子１０であれば、シロアリの侵入路を塞ぐ観点から防蟻粒子１０間の隙間をシロアリが通ることができない程度とするために、比較的小さな粒径の防蟻粒子１０を使用することが好ましい。これによれば、シロアリの侵入路を塞ぐことができる一方、水分は防蟻粒子１０間の隙間を通して地中へ排水できる。また、シロアリの忌避効果を有する化学的防蟻粒子１０であれば、比較的粒径の大きなものを使用することもできる。比較的粒径の大きな防蟻粒子１０を使用することによって、その防蟻粒子１０間の隙間がシロアリが侵入し得る間隔となっても、その忌避効果によってシロアリの侵入を防ぐことができる。この場合は、水分の排水効果が向上する点で有意である。
【００２９】
また、防蟻材としては、防蟻成分を含有する発泡体（以下、防蟻発泡体１２と称す）を使用することもできる。防蟻発泡体１２としては、防蟻若しくは防虫効果を有する発泡体であれば特に限定されることはなく、一般的にはウレタンフォームやメラミンフォームなど、各種の合成樹脂に発泡剤を混合した発泡体に、上記の公知の防蟻剤を表面に付着又は内部に分散させたものが挙げられる。防虫剤としては、２−（４−エトキシフェニル）−２−メチルプロピル−３−フェノキシベンジルエーテル、α−シペルメトリン、ビフェントリン、０，０−ジメチル−０−３，５，６，−トリクロ−２−ピリジルホスホロチオエートなどが挙げられる。
【００３０】
防蟻発泡体１２を使用する場合は、予め成形固化させた状態で充填してもよいし、液状の状態で缶容器に封入し、該缶容器からスプレーして充填させた後、固化させてもよい。形状への適応性と作業性が高いなどの点から、後者が好適である。後者の場合は、盛り上がる程度の充分な量の液状防蟻発泡剤をスプレー充填し、十分に固化したところで、盛り上がった部分をカッターなどで切り取ることで、防蟻発泡体１２を充填できる。
【００３１】
防蟻発泡体１２を充填した場合は、シロアリの侵入路を確実に塞ぐことができる一方、水分は防蟻発泡体１２に浸透して排水されるので、排水性も確保できる。  
【００３２】
【００３３】
【００３４】
【００３５】
[配管の防蟻処理]
次に、各種ケーブルを束ねた配管や、水道管、ガス管などの各種の配管６に対する防蟻処理について説明する。このような配管６は、所定の外部供給源から建築物内部まで通されるが、ベタ基礎１の場合、必ずベタ基礎１のコンクリートを貫通して内部へ導入されることとなる。例えば、図１に示すように、建築物近傍まで地中を通された配管６を、そこから地上に立ち上げ、ベタ基礎１の立壁１ｂに貫通状に穿設された配管孔７を介して建築物内部に通されている。このような場合、配管６と配管孔７との間には若干の隙間が生じてシロアリの侵入を許す原因となるので、これを防ぐために該配管６と配管孔７との間に防蟻発泡体１２を充填している。このときの防蟻発泡体１２は、缶容器に封入された液体防蟻発泡体１２を使用する。そして、缶容器の排出ノズルに専用ストローを連結したうえで該ストローを配管孔７の奥方に挿入し、配管６と配管孔７との隙間全体に亘って防蟻発泡材１２を充填するようにする。
【００３６】
また、シロアリが配管６を伝ってくることを防止するため、図１，２に示すように、配管６の立ち上がり部にも防蟻処理を施すことが好ましい。特に、布基礎の土間から配管６が立ち上がっている場合は、この処理は必須である。配管６が地面Ｇから立ち上がっている場合は、シロアリの移動経路であること及び外観からの意匠性などを考慮して、図１に示すように地表近傍の地中側において防蟻処理することが好ましい。なお、図１における配管６の斜線で囲まれた部分が、その防蟻処理を施す部分として示されている。防蟻処理としては、配管６の外周面に断熱材層６ａが形成された内外二層構造の保温配管であれば、図２に示すごとく表層側の断熱材層６ａの一部を切削してそこに防蟻粒子１０や防蟻発泡体１２を充填することができる。
【００３７】
【００３８】
【００３９】
配管６が保温配管の場合に好適な防蟻処理を図２に示す。先ず、配管６周りの地面Ｇを地表から所定寸法掘削し（図２（Ａ））、地表近傍の地中域において断熱材層６ａを上下所定寸法周回状に切欠く（図２（Ｂ））。次いで、当該切欠部に防蟻粒子１０を詰めて接着固定、若しくは防蟻発泡体１２を充填（図２（Ｃ））した後、地面Ｇの掘削穴を埋める（図２（Ｄ））ことで防蟻処理ができる。防蟻粒子１０または防蟻発泡体１２を充填する上下幅も、確実な防蟻効果とコスト面とを考慮すると、５〜５０ｍｍ程度であればよい。
【００４０】
【００４１】
【００４２】
【００４３】
【００４４】
【００４５】
【符号の説明】
【００４６】
１  ベタ基礎
２  基礎支持部
３  捨てコンクリート
６  配管
７  配管孔
１０  防蟻粒子
１１  防蟻接着剤
１２  防蟻発泡体
【図１】
0005362697.tif 000002
【図２】
0005362697.tif 000003